(57)【要約】【課題】施工現場における作業性の向上を図ることができる空調チャンバ及び空調設備を得る。【解決手段】拡張吹出チャンバ５８では、吹出チャンバ７２に拡張チャンバ７０が接続され、当該拡張チャンバ７０に拡張チャンバ６８が接続されている。そして、吹出チャンバ７２の装着部８４と拡張チャンバ７０のチャンバ部９０の間には、パッキン７７、１００が設けられており、吹出チャンバ７２の装着部８４に拡張チャンバ７０のチャンバ部９０が接続されると、当該装着部８４と当該チャンバ部９０の間がパッキン７７、１００によって気密状態とされるようになっている。これにより、拡張チャンバ７０のチャンバ部９０を吹出チャンバ７２の装着部８４に接続させた後に、当該装着部８４と当該チャンバ部９０の接続部に気密部材を取付ける必要はなく、施工現場における作業を削減し、作業性の向上を図ることが可能となる。【選択図】図３
2019200001.tif 000002
【特許請求の範囲】
【請求項１】
天井裏又は床下に設けられ、空調装置により生成された空調空気を屋内空間に供給する吹出チャンバと、
前記吹出チャンバと連通し、当該吹出チャンバに形成された第１被接続部に接続される第１接続部が形成された第１拡張チャンバと、
前記第１被接続部と前記第１接続部の間に設けられ、前記第１接続部が前記第１被接続部に接続されるとき当該第１被接続部と当該第１接続部の間を気密にする気密部材と、
を有する空調チャンバ。
【請求項２】
前記第１拡張チャンバにおいて、前記第１接続部と反対側には、当該第１拡張チャンバと連通する第２拡張チャンバに形成された第２接続部が接続される第２被接続部が形成されている請求項１に記載の空調チャンバ。
【請求項３】
前記第１接続部は、前記第１被接続部に対して外側から嵌め込み可能とされている請求項１に記載の空調チャンバ。
【請求項４】
前記第１接続部の内壁面に、前記気密部材が設けられている請求項３に記載の空調チャンバ。
【請求項５】
前記第１拡張チャンバの外壁面には、前記吹出チャンバの外壁面に設けられた掛止部に掛止される掛止金具が設けられている請求項１〜請求項４の何れか１項に記載の空調チャンバ。
【請求項６】
前記掛止金具には、前記第１拡張チャンバを前記吹出チャンバ側へ圧入させるレバーが設けられている請求項５に記載の空調チャンバ。
【請求項７】
請求項１〜請求項６の何れか１項に記載の空調チャンバを備えた空調設備。
【発明の詳細な説明】
【技術分野】
【０００１】
本発明は、空調チャンバ及び空調設備に関する。
【背景技術】
【０００２】
例えば、下記特許文献１には、空調ダクトに接続され空調装置により生成された空調空気を屋内空間に吹き出すチャンバ（以下、「吹出チャンバ」という）にチャンバ拡張部材（以下、「拡張チャンバ」という）を接続させ、吹出チャンバから吹出グリルまでの長さを延長させる技術が開示されている。
【０００３】
この先行技術では、拡張チャンバには、拡張チャンバ本体部よりも小さい外形寸法で形成された接続部が設けられており、当該接続部が吹出チャンバの開口側へ入り込んだ状態で固定されている。そして、拡張チャンバの接続部の外側には、パッキン等の気密部材が取付けられ、これにより、当該接続部の気密性が確保されるようになっている。
【先行技術文献】
【特許文献】
【０００４】
【特許文献１】特開２０１７−００９１４３号公報
【発明の概要】
【発明が解決しようとする課題】
【０００５】
しかしながら、一般に、吹出チャンバは、天井裏又は床下等、狭い空間内に設けられているため、先行技術のように、吹出チャンバに拡張チャンバを接続させた後、拡張チャンバの接続部の外側に気密部材を取付けるとなると、施工現場での作業が大変であり手間が掛かる。
【０００６】
本発明は上記事実を考慮し、施工現場における作業性の向上を図ることが可能となる空調チャンバ及び空調設備を得ることが目的である。
【課題を解決するための手段】
【０００７】
上記目的を達成するための第１の態様に係る空調チャンバは、天井裏又は床下に設けられ、空調装置により生成された空調空気を屋内空間に供給する吹出チャンバと、前記吹出チャンバと連通し、当該吹出チャンバに形成された第１被接続部に接続される第１接続部が形成された第１拡張チャンバと、前記第１被接続部と前記第１接続部の間に設けられ、前記第１接続部が前記第１被接続部に接続されるとき当該第１被接続部と当該第１接続部の間を気密にする気密部材と、を有している。
【０００８】
第１の態様に係る空調チャンバでは、天井裏又は床下には吹出チャンバが設けられており、当該吹出チャンバには、屋内空間に空調空気を供給する空調装置が間接的に又は直接的に接続されている。また、吹出チャンバには、第１拡張チャンバが連通可能とされている。つまり、吹出チャンバに第１拡張チャンバを接続させることで、空調装置から屋内空間までの長さに合わせて空調空気が流れる流路を延長可能としている。
【０００９】
また、吹出チャンバには、第１被接続部が形成されており、第１拡張チャンバには、当該第１被接続部に接続される第１接続部が形成されている。そして、吹出チャンバの第１被接続部と拡張チャンバの第１接続部の間には、気密部材が設けられており、吹出チャンバの第１被接続部に拡張チャンバの第１接続部が接続されると、当該第１被接続部と当該第１接続部の間が気密部材によって気密状態とされるようになっている。
【００１０】
このため、本態様では、拡張チャンバの第１接続部を吹出チャンバの第１被接続部に接続させた後に、当該第１被接続部と当該第１接続部の接続部に別途気密部材を取付ける必要はない。したがって、施工現場における作業を削減し、作業性の向上を図ることが可能となる。
【００１１】
第２の態様に係る空調チャンバは、第１の態様に係る空調チャンバにおいて、前記第１拡張チャンバにおいて前記第１接続部と反対側には、当該第１拡張チャンバと連通する第２拡張チャンバに形成された第２接続部が接続される第２被接続部が形成されている。
【００１２】
第２の態様に係る空調チャンバでは、第１拡張チャンバにおいて、第１接続部と反対側には、第１拡張チャンバと連通する第２被接続部が形成されている。ここで、第１拡張チャンバには、第２拡張チャンバが接続されるようになっており、当該第２拡張チャンバには、第２接続部が形成されている。このため、第１拡張チャンバには、第２拡張チャンバの第２接続部が接続される第２被接続部が形成されている。
【００１３】
つまり、本態様では、吹出チャンバに第１拡張チャンバが接続され、第１拡張チャンバには第２拡張チャンバが接続されている。これにより、空調空気が流れる流路をさらに延長可能としている。
【００１４】
第３の態様に係る空調チャンバは、第１の態様に係る空調チャンバにおいて、前記第１接続部は、前記第１被接続部に対して外側から嵌め込み可能とされている。
【００１５】
第３の態様に係る空調チャンバでは、吹出チャンバの第１被接続部に対して、第１拡張チャンバの第１接続部は外側から嵌め込み可能とされている。気密部材は、第１接続部と第１被接続部との間に設けられているため、第１被接続部に対して第１接続部が外側から嵌め込まれた状態で、当該第１被接続部と当該第１接続部の間が気密部材によって気密状態とされる。
【００１６】
第４の態様に係る空調チャンバは、第３の態様に係る空調チャンバにおいて、前記第１接続部の内壁面に、気密部材が設けられている。
【００１７】
第１拡張チャンバの第１接続部は、吹出チャンバの第１被接続部に対して外側から嵌め込み可能とされているため、第４の態様に係る空調チャンバでは、第１接続部の内壁面に前記気密部材が設けられている。
【００１８】
第５の態様に係る空調チャンバは、第１の態様〜第４の態様の何れか１の態様に係る空調チャンバにおいて、前記第１拡張チャンバの外壁面には、前記吹出チャンバの外壁面に設けられた掛止部に掛止される掛止金具が設けられている。
【００１９】
第５の態様に係る空調チャンバでは、吹出チャンバの外壁面に掛止部が設けられ、第１拡張チャンバの外壁面には、当該掛止部に掛止される掛止金具が設けられている。したがって、吹出チャンバに設けられた掛止部に第１拡張チャンバに設けられた掛止金具を掛止させることによって、第１拡張チャンバを吹出チャンバに一体化させることができる。つまり、第１拡張チャンバが吹出チャンバから外れないようにすることができる。
【００２０】
第６の態様に係る空調チャンバは、第５の態様に係る空調チャンバにおいて、前記掛止金具には、前記第１拡張チャンバを前記吹出チャンバ側へ圧入させるレバーが設けられている。
【００２１】
第６の態様に係る空調チャンバでは、掛止金具には、第１拡張チャンバを吹出チャンバ側へ圧入させるレバーが設けられており、第１被接続部に対して第１接続部が外側から嵌め込まれた状態で、吹出チャンバに設けられた掛止部に第１拡張チャンバに設けられた掛止金具を掛止させ、レバーを操作することによって、第１拡張チャンバを吹出チャンバ側へ圧入させることができる。
【００２２】
第７の態様に係る空調設備は、第１の態様〜第６の態様の何れか１の態様に係る空調チャンバを備えている。
【発明の効果】
【００２３】
以上説明したように、本態様に係る空調チャンバ及び空調設備は、施工現場における作業性の向上を図ることができる、という優れた効果を有する。
【図面の簡単な説明】
【００２４】
【図１】本実施の形態に係る空調設備を備えた建物の概略構成を示す側面図である。
【図２】本実施の形態に係る空調チャンバにおいて、吹出チャンバ及び拡張チャンバを示す分解斜視図である。
【図３】本実施の形態に係る空調チャンバにおいて、拡張チャンバが接続された吹出チャンバ及び拡張チャンバを示す分解斜視図である。
【図４】図２に示す拡張チャンバを下側から見て示した斜視図である。
【図５】図２で示すＡ−Ａ線に沿って切断したときの断面図である。
【図６】図３で示すＢ−Ｂ線に沿って切断したときの断面図である。
【図７】本実施の形態に係る空調チャンバの変形例を示す正面図である。
【発明を実施するための形態】
【００２５】
以下、図面を用いて、本発明の一実施の形態に係る空調チャンバを備えた空調設備について説明する。
【００２６】
図１には、本実施の形態に係る空調設備１０を備えた建物１１の概略構成が側方視にて示されている。図１に示されるように、建物１１は、例えば、２階建てとされており、屋根部１２は、勾配屋根１４及び陸屋根１６を含んで構成された混合屋根とされている。なお、図１では、建物１１の１階部分１８において図示を省略している
【００２７】
図１に示されるように、建物１１の２階部分２０では、間仕切り壁２２、２４が設けられており、当該間仕切り壁２２、２４によって区画されて廊下部２６が形成されている。そして、廊下部２６を間において、勾配屋根１４側には居室部２８が形成されると共に、陸屋根１６側には居室部３０が形成されており、居室部３０は勾配屋根１４と陸屋根１６とに跨って設けられている。また、建物１１は、勾配屋根１４の下側の天井フレーム３２を下地として天井パネル３４が取り付けられることにより、廊下部２６及び居室部２８の天井が形成されると共に、勾配屋根１４内には天井裏空間１４Ａが形成されている。
【００２８】
一方、当該建物１１には、全館空調システムが導入されており、建物１１内には空調設備１０が設けられている。この空調設備１０には、室内装置としての室内機３８及び図示しない室外機が含まれており、室外機は建物１１の外部（屋外）４０に設置されている。本実施形態において、当該空調設備１０の室内機３８は、主に建物１１の２階部分２０の空調を担っているが、１階部分１８の空調を担う室内機が別に設けられていても良く、また、空調設備１０とは別に階下の空調を担う空調設備が設けられていても良い。
【００２９】
ここで、前述のように、当該建物１１では、屋根部１２に勾配屋根１４が設けられており、勾配屋根１４側には、天井裏空間１４Ａが設けられている。このため、このスペースを利用して、本実施形態では、当該天井裏空間１４Ａに空調設備１０の一部を構成する室内機３８が設けられている。
【００３０】
なお、室内機３８には、熱交換ユニット４２、及び図示しないファンが設けられた送風ユニット４４が一体に設けられている。熱交換ユニット４２には、室外機との間に図示しない冷媒配管が接続されており、当該熱交換ユニット４２により、冷媒配管を介して室外機との間で冷媒を循環させ、建物１１内と屋外４０の熱を交換しながら建物１１内を暖めたり冷やしたりする。
【００３１】
一方、空調設備１０には、吸込ダクト４６及び吹出ダクト４８、５０が含まれている。吸込ダクト４６の一端部は、送風ユニット４４に接続されており、吸込ダクト４６の他端部は、勾配屋根１４側の天井パネル３４に設けられた吸込チャンバ５２に接続されている。
【００３２】
また、吹出ダクト４８の一端部は、熱交換ユニット４２に接続されており、吹出ダクト４８の他端部は、勾配屋根１４側の天井パネル３４に取付けられた吹出チャンバ５４に接続されている。さらに、吹出ダクト５０の一端部は、熱交換ユニット４２に接続されており、吹出ダクト５０の他端部は、陸屋根１６側の天井パネル５６に取付けられた拡張吹出チャンバ５８に接続されている（後述する）。なお、これらのチャンバは金属や合成樹脂によって形成されており、ダクトには円筒状の断熱性フレキシブルダクトが用いられている。
【００３３】
当該送風ユニット４４では、送風ユニット４４における図示しないファンが作動されることで、吸込チャンバ５２を介して建物１１内の空気が吸い込まれる。また、熱交換ユニット４２では、送風ユニット４４に吸込まれた空気と冷媒との間で熱交換が行われて空調空気（暖気又は冷気）が生成される。
【００３４】
これにより、吹出ダクト４８、５０には、熱交換ユニット４２により生成された空調空気が供給される。そして、吹出ダクト４８を介して、吹出チャンバ５４には空調空気が供給され、当該吹出チャンバ５４から居室部２８内へ空調空気が吹出される。また、吹出ダクト５０を介して、拡張吹出チャンバ５８には空調空気が供給され、当該拡張吹出チャンバ５８から居室部３０内へ空調空気が吹出される。
【００３５】
当該居室部２８、３０内へそれぞれ送出された空調空気Ｓ１、Ｓ２は、扉の下（いわゆるアンダーカット部６０、６２）を通過して廊下部２６へそれぞれ案内される。そして、廊下部２６内の空気Ｓ３は、廊下部２６の上部に設けられた図示しない換気口を通じて屋外４０へ排気される。これにより、廊下部２６や居室部２８、３０を含み、全館を通じて、居間、台所、寝室等の居室部やトイレ、洗面室等の非居室部を含む空間部６４の冷暖房が行われる。
【００３６】
ところで、前述のように、建物１１の屋根部１２は、勾配屋根１４及び陸屋根１６を含んで構成されており、勾配屋根１４側には、天井裏空間１４Ａが設けられている。また、空調設備１０は、吹出ダクト４８、５０を含んで構成されており、当該吹出ダクト４８、５０によって、熱交換ユニット４２と吹出チャンバ５４、５８との間が接続されている。
【００３７】
このため、各居室部２８、３０において、天井パネル３４、５６の上方側には、吹出ダクト４８、５０を配設するためのスペースがそれぞれ必要となる。その結果、天井裏空間１４Ａが設けられていない陸屋根１６側では、天井裏空間１４Ａを区画する天井パネル３４の高さよりも低い位置に天井パネル５６が設けられることとなる（いわゆる天井下がり部６６）。
【００３８】
したがって、天井パネル５６側に取付けられる拡張吹出チャンバ５８の高さ方向の寸法は、吹出チャンバ５４と比較して長くする必要が生じる。このため、本実施形態では、図３に示されるように、当該拡張吹出チャンバ５８では、吹出チャンバ７２に、拡張チャンバ（第１拡張チャンバ）７０が接続され、当該拡張チャンバ７０に拡張チャンバ（第２拡張チャンバ）６８が接続されている。なお、当該天井下がり部６６について、屋根部１２の構成により形成される場合に限らず、洗面室等の非居室部等、空間部６４の構成によって形成される場合もある。
【００３９】
＜拡張吹出チャンバの構成＞
ここで、本実施の形態に係る空調チャンバが適用された拡張吹出チャンバ５８の構成について説明する。なお、図１では、拡張吹出チャンバ５８が天井裏空間１４Ａ側に設けられた例について説明したが、当該拡張吹出チャンバ５８は、図示はしないが、床下側に設けられても良い。このため、当該拡張吹出チャンバ５８は、天井裏に配設されるか床下に配設されるかによって、その上下は逆になる。図２、図３、図５及び図６では、図面の見やすさを考慮して、拡張吹出チャンバ５８は、吹出チャンバ７２側を下にして拡張吹出チャンバ５８の上下の説明を行う。
【００４０】
前述のように、当該拡張吹出チャンバ５８では、吹出チャンバ７２の上に、拡張チャンバ７０が接続され、当該拡張チャンバ７０の上に拡張チャンバ６８が接続されている。このため、まず、吹出チャンバ７２の基本構成について説明する。なお、吹出チャンバ７２の基本構成は、吸込チャンバ５２（図１参照）、吹出チャンバ５４（図１参照）の基本構成と略同じである。
【００４１】
（吹出チャンバ７２）
図２に示されるように、吹出チャンバ７２は、正面視において略五角形状を成しており、チャンバ部７４と装着部（第１被接続部）８４と接続部７６とを含んで構成されている。チャンバ部７４及び装着部８４は  角筒状を成しており、略直方体状の流路７８を形成している。また、接続部７６は先端側が窄まった形状とされており、流路７８と連通している。さらに、接続部７６には、円筒部７６Ａが突設されており、この円筒部７６Ａに吹出ダクト５０の他端部が接続されるようになっている。
【００４２】
また、チャンバ部７４には、対向する一対の短辺部７４Ａ側の外壁面７４Ａ１の上端部において、当該外壁面７４Ａ１から離間する方向へ向かって延出され上側を凸にして円弧状に形成された掛止片（掛止部）８０がそれぞれ形成されている。
【００４３】
また、チャンバ部７４の開口側には、装着部８４が設けられている。当該装着部８４は、チャンバ部７４の外形寸法よりも小さい寸法で形成されており、装着部８４とチャンバ部７４との間には、段差部７５が設けられている。この段差部７５には、例えば、発泡ウレタンで形成された枠状のパッキン（気密部材）７７が取付けられている。
【００４４】
また、装着部８４の一対の短辺部８４Ａには、複数の固定穴８８がそれぞれ形成されている。この固定穴８８には、図示はしないがビスが固定可能とされており、当該ビスを介して、吹出チャンバ７２の装着部８４が天井パネル３４（図１参照)に固定可能とされる。また、装着部８４には、図示しない空調グリルが装着可能とされており、装着部８４の短辺部８４Ａ側の内壁面８４Ａ１には、それぞれ台座８６が突設されている。この台座８６にはビス穴８６Ａが形成されており、ビス穴８６Ａには図示しないビスが固定可能とされている。このビスを介して、空調グリルが台座８６に固定可能とされる。
【００４５】
なお、本実施形態では、当該吹出チャンバ７２は、拡張吹出チャンバ５８の一部を構成する部材であるため、天井パネル３４には固定されない。また、吹出チャンバ７２の装着部８４には、空調グリルも固定されない。すなわち、図１に示す吹出チャンバ５４の場合は、当該吹出チャンバ５４の装着部（図示省略）が天井パネル３４に固定され、当該装着部が空調グリルによって覆われることとなる。
【００４６】
これに対して、拡張吹出チャンバ５８では、図３に示されるように、吹出チャンバ７２の装着部８４には、拡張チャンバ７０が装着（接続）される。そして、さらに当該拡張チャンバ７０の装着部９４には拡張チャンバ６８が接続される。このため、当該拡張吹出チャンバ５８では、後述する拡張チャンバ６８の装着部１２２が天井パネル５６（図１参照）に固定されると共に、当該装着部１２２が空調グリル（図示省略）によって覆われることとなる。なお、拡張チャンバ７０及び拡張チャンバ６８において、吹出チャンバ７２と略同じ構成については、当該吹出チャンバ７２に示す符号と同じ符号を付して説明を省略する場合もある。
【００４７】
（拡張チャンバ７０）
図２に示されるように、拡張チャンバ７０は、チャンバ部（第１接続部）９０と装着部（第２被接続部）９４とを含んで構成されており、チャンバ部９０は角筒状を成し、略直方体状の流路９２を形成している。このため、吹出チャンバ７２に拡張チャンバ７０を接続させると、拡張チャンバ７０の流路９２が吹出チャンバ７２の流路７８と連続することとなる。
【００４８】
図５、図６に示されるように、当該チャンバ部９０の内形寸法は、吹出チャンバ７２の装着部８４に対して、外側から嵌め込み（圧入）可能とされるとなるように予め設定されている。そして、当該チャンバ部９０が、吹出チャンバ７２の装着部８４に対して嵌め込まれた状態（接続された状態）で、吹出チャンバ７２のチャンバ部７４の外面７２Ａと拡張チャンバ７０のチャンバ部９０の外面７０Ａとは、略面一の状態となっている。なお、図５は、図２で示すＡ−Ａ線に沿って切断したときの断面図であり、図６は、図３で示すＢ−Ｂ線に沿って切断したときの断面図である。
【００４９】
また、図４には、図２に示す拡張チャンバ７０を下側から見て示した斜視図が示されている。図４に示されるように、拡張チャンバ７０のチャンバ部９０の内壁面９０Ａには、図２に示す吹出チャンバ７２の装着部８４が対向する領域において、全周に亘って発泡ウレタンで形成された矩形状のパッキン（気密部材）１００が取付けられている。
【００５０】
一方、図２に示されるように、装着部９４は、拡張チャンバ７０のチャンバ部９０の開口側に設けられており、チャンバ部９０の外形寸法よりも小さい寸法で形成され、装着部９４とチャンバ部９０との間には、段差部９６が設けられている。そして、この段差部９６には、例えば、発泡ウレタンで形成された枠状のパッキン９８が取付けられている。
【００５１】
ここで、前述のように、吹出チャンバ７２において、装着部８４とチャンバ部７４との間には段差部７５が設けられており、段差部７５にはパッキン７７が取付けられている。そして、拡張チャンバ７０のチャンバ部９０の内壁面９０Ａには、全周に亘ってパッキン１００が取付けられている。
【００５２】
このため、図５、図６に示されるように、拡張チャンバ７０が吹出チャンバ７２に接続された状態で、パッキン７７は、拡張チャンバ７０のチャンバ部９０の下端９０Ｂと吹出チャンバ７２の装着部８４の段差部７５との間に配置され、当該拡張チャンバ７０のチャンバ部９０の下端９０Ｂ及び吹出チャンバ７２の段差部７５によって圧接されている。
【００５３】
また、パッキン１００は、拡張チャンバ７０のチャンバ部９０の内壁面９０Ａと吹出チャンバ７２の装着部８４の外壁面８５との間に配置され、当該拡張チャンバ７０のチャンバ部９０の内壁面９０Ａ及び吹出チャンバ７２の装着部８４の外壁面８５によって圧接されている。
【００５４】
すなわち、本実施形態では、当該パッキン７７、１００により、吹出チャンバ７２と拡張チャンバ７０との間で気密性が確保されるようになっている。換言すると、本実施形態では、拡張チャンバ７０のチャンバ部９０を吹出チャンバ７２の装着部８４に対して外側から嵌め込んだ状態で、吹出チャンバ７２と拡張チャンバ７０との間で気密性が確保されるように設定されている。
【００５５】
ところで、図２に示されるように、拡張チャンバ７０のチャンバ部９０の一対の短辺部９０Ａ側の外壁面９０Ａ１の上端部には、吹出チャンバ７２のチャンバ部７４と同様、掛止片（掛止部）１０２がそれぞれ形成されており、当該掛止片１０２の下方側には掛止金具１０４が設けられている。
【００５６】
この掛止金具１０４は、掛止具１０６とレバー１０８とを含んで構成されている。掛止具１０６は略Ｕ字状を成しており、掛止具１０６の両端部は互いに近接する方向へ向かって屈曲している。この掛止具１０６の両端部がレバー１０８の幅方向の両端部に形成された孔部（図示省略）に挿入されており、当該孔部を中心にして掛止具１０６が回動可能とされている。
【００５７】
一方、レバー１０８は、拡張チャンバ７０の外壁面９０Ａ１に形成された軸受部１１０に対して回動可能に支持されている。掛止具１０６は吹出チャンバ７２側に設けられた掛止片８０に掛止可能とされており、軸受部１１０を中心にレバー１０８を下方側へ回動させ、掛止具１０６を掛止片８０に掛止させた後、図３に示されるように、当該レバー１０８を上方側へ回動させると、レバー１０８はロックされ、掛止具１０６が掛止片８０に掛止された状態が維持される。つまり、拡張チャンバ７０が吹出チャンバ７２に接続された状態が維持されることとなる。
【００５８】
このため、拡張チャンバ７０のチャンバ部９０を、吹出チャンバ７２の装着部８４に対して外側から嵌め込んだ状態で、掛止具１０６を掛止片８０に掛止させ、図３に示されるように、当該レバー１０８を上方側へ回動させロックさせると、拡張チャンバ７０が吹出チャンバ７２に接続された状態が維持される。
【００５９】
（拡張チャンバ６８）
図３に示されるように、拡張チャンバ６８は、拡張チャンバ７０と同様に、チャンバ部（第２接続部）１２０と装着部１２２とを含んで構成されており、チャンバ部１２０には、拡張チャンバ７０の流路９２及び吹出チャンバ７２の流路７８（図２参照）と連続する流路１２４が形成されている。なお、拡張チャンバ６８は、拡張チャンバ７０と略同じ形状に形成されている。
【００６０】
一方、装着部１２２とチャンバ部１２０との間には、段差部１２６が設けられており、段差部１２６には、発泡ウレタンで形成された枠状のパッキン１２８が取付けられている。また、チャンバ部１２０の内壁面１２１には、全周に亘って発泡ウレタンで形成された矩形状のパッキン１３０が取付けられている。
【００６１】
さらに、拡張チャンバ６８のチャンバ部１２０の一対の短辺部１２０Ａ側の外壁面１２０Ａ１の上端部には、拡張チャンバ７０のチャンバ部９０と同様、掛止片（掛止部）１３２がそれぞれ形成されており、当該掛止片１３２の下方側には掛止金具１３４が設けられている。
【００６２】
このため、拡張チャンバ６８のチャンバ部１２０を拡張チャンバ７０の装着部９４に対して外側から嵌め込んだ状態で、拡張チャンバ７０と拡張チャンバ６８の間で気密性が確保される。そして、この状態で、掛止具１３６を掛止片１０２に掛止させ、レバー１３８を上方側へ回動させロックさせると、拡張チャンバ６８が拡張チャンバ７０に接続された状態が維持される。
【００６３】
これにより、拡張チャンバ７０が吹出チャンバ７２に接続されると共に、当該拡張チャンバ７０に拡張チャンバ６８が接続される。そして、拡張チャンバ６８の装着部１２２は、天井パネル５６（図１参照)に固定されると共に、当該装着部１２２には、図示しない空調グリルが装着される。
【００６４】
すなわち、装着部１２２の短辺部１２２Ａに形成された複数の固定穴８８及び図示しないビスを介して、拡張チャンバ６８の装着部１２２が天井パネル５６に固定される。また、装着部１２２の短辺部１２２Ａ側の内壁面１２２Ａ１に形成された台座８６のビス穴８６Ａ及び図示しないビスを介して、空調グリルが台座８６に固定される。
【００６５】
＜拡張吹出チャンバの作用及び効果＞
次に、本実施の形態に係る空調チャンバが適用された拡張吹出チャンバ５８の作用及び効果について説明する。
【００６６】
図１に示されるように、当該拡張吹出チャンバ５８では、吹出チャンバ７２に、拡張チャンバ７０が接続され、当該拡張チャンバ７０に拡張チャンバ６８が接続されている。このように、吹出チャンバ７２に拡張チャンバ７０及び拡張チャンバ６８を接続させることで、空調設備１０から天井パネル３４、５６までの高さ方向の長さに合わせて流路７８（図２参照）を延長可能としている。
【００６７】
また、吹出チャンバ７２には、装着部８４が形成されており、拡張チャンバ７０には、当該装着部８４に接続されるチャンバ部９０が形成されている。そして、吹出チャンバ７２の装着部８４と拡張チャンバ７０のチャンバ部９０の間には、パッキン７７、１００が設けられており、拡張チャンバ７０のチャンバ部９０が吹出チャンバ７２の装着部８４に接続（圧入）されると、当該装着部８４と当該チャンバ部９０の間がパッキン７７、１００によって気密状態とされるようになっている。
【００６８】
このため、本実施形態では、拡張チャンバ７０のチャンバ部９０を吹出チャンバ７２の装着部８４に接続させた後に、当該装着部８４と当該チャンバ部９０の接続部に別途気密部材を外側から取付ける必要はない。したがって、施工現場における作業を削減し、作業性の向上を図ることが可能となる。
【００６９】
具体的に説明すると、本実施形態では、吹出チャンバ７２の装着部８４及び拡張チャンバ７０のチャンバ部９０は、それぞれ角筒状を成している。そして、拡張チャンバ７０のチャンバ部９０の内形寸法は、吹出チャンバ７２の装着部８４に対して、外側から嵌め込み（圧入）可能とされるように予め設定されている。
【００７０】
ここで、パッキン７７、パッキン１００は、チャンバ部９０と装着部８４との間に設けられている。本実施形態では、拡張チャンバ７０のチャンバ部９０は、吹出チャンバ７２の装着部８４に対して外側から嵌め込み可能とされ、当該パッキン７７は吹出チャンバ７２の装着部８４の段差部７５に取付けられ、当該パッキン１００は、チャンバ部９０の内壁面９１に取付けられている。
【００７１】
このため、図６に示されるように、吹出チャンバ７２の装着部８４に対して拡張チャンバ７０のチャンバ部９０が外側から嵌め込まれた状態で、チャンバ部９０の下端９０Ｂと装着部８４の段差部７５との間でパッキン７７が圧接されると共に、チャンバ部９０の内壁面９０Ａと装着部８４の外壁面８５との間でパッキン１００が圧接される。そして、これにより、装着部８４とチャンバ部９０の間が気密状態とされる。したがって、当該装着部８４と当該チャンバ部９０の接続部に別途気密部材を外側から取付ける必要はない。
【００７２】
また、本実施形態では、吹出チャンバ７２の外壁面７４Ａ１に掛止片８０が設けられ、拡張チャンバ７０の外壁面９０Ａ１には、当該掛止片８０に掛止される掛止金具１０４が設けられている。したがって、吹出チャンバ７２に設けられた掛止片８０に拡張チャンバ７０に設けられた掛止金具１０４を掛止させることによって、拡張チャンバ７０を吹出チャンバ７２に一体化させることができる。つまり、拡張チャンバ７０が吹出チャンバ７２から外れないようにすることができる。
【００７３】
なお、本実施形態では、掛止具１０６を掛止片８０に掛止させた後、当該レバー１０８を上方側へ回動させると、レバー１０８はロックされ、掛止具１０６が掛止片８０に掛止された状態が維持されるようになっているが、これに限るものではない。例えば、当該掛止金具１０４のレバー１０８について、拡張チャンバ７０を吹出チャンバ７２側へ圧入させるためのレバーとされてもよい。
【００７４】
つまり、装着部８４に対してチャンバ部９０が外側から軽く嵌め込まれ、吹出チャンバ７２に設けられた掛止片８０に拡張チャンバ７０に設けられた掛止金具１０４を掛止させた状態で、レバー１０８を操作することによって、拡張チャンバ７０が吹出チャンバ７２側へ圧入される。これにより、装着部８４に対してチャンバ部９０が完全に嵌め込まれるようにしてもよい。
【００７５】
また、本実施形態では、図３に示されるように、拡張吹出チャンバ５８は、吹出チャンバ７２に拡張チャンバ７０を接続し、さらに当該拡張チャンバ７０に拡張チャンバ６８を接続させて形成することで、流路７８（図２参照）を延長可能としている。つまり、本実施形態では、当該流路７８を延長させるために複数の拡張チャンバ７０、６８を接続させている。なお、吹出チャンバ７２に拡張チャンバ７０のみを接続させてもよいのは勿論のことであるが、そもそも本実施形態では、図１に示す空調設備１０から天井パネル３４、５６までの高さ方向の長さに合わせて流路７８（図２参照）を延長することができればよい。このため、吹出チャンバ７２に複数の拡張チャンバ７０、６８を接続させる態様に限るものではない。
【００７６】
例えば、図７に示されるように、流路（図示省略）が伸長可能となる蛇腹部１４０が設けられた拡張チャンバ（第１拡張チャンバ）１４２を吹出チャンバ７２に接続させてもよい。なお、この場合、必要とされる流路長に合わせて蛇腹部１４０を伸長させることができる。
【００７７】
また、本実施形態では、図２に示されるように、吹出チャンバ７２のチャンバ部７４及び装着部８４は角筒状を成しているが、これに限るものではなく、円筒状に形成されてもよい。なお、この場合、拡張チャンバ７０のチャンバ部９０及び装着部９４等も円筒状に形成されることとなる。
【００７８】
また、本実施形態では、拡張チャンバ６８は、拡張チャンバ７０と略同じ形状に形成されている。このため、拡張チャンバ６８及び拡張チャンバ７０には、互いに他のチャンバと接続される接続部と、他のチャンバが接続され、かつ天井パネルに固定可能とされ空調グリルが装着可能とされる装着部と、がそれぞれ設けられている。しかし、拡張チャンバ６８と拡張チャンバ７０とが必ずしも同じ形状である必要はない。つまり、図示はしないが、拡張チャンバ７０では、装着部９４において、必ずしも固定穴８８や台座８６は必要ない。
【００７９】
以上のように、ここでは、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００８０】
１０      空調設備
１１      建物
２８      居室部（屋内空間）
３０      居室部（屋内空間）
５８      拡張吹出チャンバ（空調チャンバ）
６４      空間部（屋内空間）
６８      拡張チャンバ（第２拡張チャンバ）
７０      拡張チャンバ（第１拡張チャンバ）
７２      吹出チャンバ
７７      パッキン（気密部材）
８０      掛止片（掛止部）
８４      装着部（第１被接続部）
９０      チャンバ部（第１接続部）
９１      内壁面（第１接続部の内壁面）
９４      装着部（第２被接続部）
９８      パッキン（気密部材）
１００    パッキン（気密部材）
１０２    掛止片（掛止部）
１０４    掛止金具
１０８    レバー
１２０    チャンバ部（第２接続部）
１２８    パッキン（気密部材）
１３０    パッキン（気密部材）
１３４    掛止金具
１３８    レバー
１４２    拡張チャンバ（第１拡張チャンバ）
【図１】
2019200001.tif 000003
【図２】
2019200001.tif 000004
【図３】
2019200001.tif 000005
【図４】
2019200001.tif 000006
【図５】
2019200001.tif 000007
【図６】
2019200001.tif 000008
【図７】
2019200001.tif 000009